(57)【要約】【課題】厚さや幅等の寸法の異なる多種類のカードを同一カード用コネクタに挿入して使用するように、各種のカードが安定に挿入できるカード用コネクタを提供する。【解決手段】少なくとも一方が開口されている第１カードを収容する第１挿入口を有する前記コネクタ本体と、前記コネクタ本体に収容された複数の導電端子と、を含み、寸法の異なる少なくとも大小２種類のカードを使用できるカード用コネクタであって、前記コネクタ本体にカードを収容するための収容空間が形成され、前記カード用コネクタは、カードの挿入方向に沿って収容空間の一側に配置される初期状態と、第１挿入口に収容される工作状態との間に切り替えできるアクチュエータ部材を含み、アクチュエータ部材は、第２カードが挿入される第２挿入口を有し、アクチュエータ部材が工作状態において、第２挿入口は第１挿入口に連通している。【選択図】図５
2011222507.tif 000002
【特許請求の範囲】
【請求項１】
少なくとも一方が開口されている第１カードを収容する第１挿入口を有する前記コネクタ本体と、前記コネクタ本体に収容された複数の導電端子と、を含み、寸法の異なる少なくとも大小２種類のカードを使用できるカード用コネクタであって、
前記コネクタ本体にカードを収容するための収容空間が形成され、
前記カード用コネクタは、カードの挿入方向に沿って前記収容空間の一側に配置される初期状態と、前記第１挿入口に収容される工作状態との間に切り替えできるアクチュエータ部材を含み、
前記アクチュエータ部材は、第２カードが挿入される第２挿入口を有し、アクチュエータ部材が工作状態において、前記第２挿入口は前記第１挿入口に連通していることを特徴とするカード用コネクタ。
【請求項２】
前記コネクタ本体には、前記収容空間の一側に前記アクチュエータ部材を収容するための収容部がカードの挿入方向に沿って配置され、
前記コネクタ本体にカバー部材に覆って、前記カバー部材に前記収容部に対応する箇所に案内溝が形成され、
前記アクチュエータ部材には前記案内溝に回転可能的に移動する枢軸が設けられることを特徴とする請求項１に記載のカード用コネクタ。
【請求項３】
前記アクチュエータ部材の一端は、初期状態において前記収容部の外部に露出される第１操作部を設けられることを特徴とする請求項１又は２に記載のカード用コネクタ。
【請求項４】
前記第１操作部材には孔部が設けられ、前記第１挿入口の一側に位置する前記コネクタ本体の先端には前記孔部に係合するポストが形成されることを特徴とする請求項３に記載のカード用コネクタ。
【請求項５】
前記アクチュエータ部材には、前記第１操作部に直交するように配置される第二操作部が設けられ、工作状態において、前記第２操作部が第１挿入口の外部に突出していることを特徴とする請求項２に記載のカード用コネクタ。
【請求項６】
前記カバー部材の前記第１挿入口に近寄る箇所には、両端での凸部がそれぞれ形成され、前記アクチュエータ部材の両端に前記凸部に係合する凹部がそれぞれ形成されることを特徴とする請求項２に記載のカード用コネクタ。
【請求項７】
前記カバー部材に、前記コネクタ本体の収容部へ突出する弾性片が形成され、アクチュエータ部材が前記収容部に収容する時に、前記弾性片は前記第２挿入口の内側に当接していることを特徴とする請求項２または６に記載のカード用コネクタ。
【発明の詳細な説明】
【技術分野】
【０００１】
本発明は、携帯電話機、電話機、ＰＤＡ（personal digital assistance）、携帯型オーディオ、ゲーム機、カメラ等や情報端末機器等の電子機器のカード用コネクタに係わるもので、特に、厚さや幅や長さ等の寸法の異なる多種類のカードを使用できるカード用コネクタに関するものである。
【背景技術】
【０００２】
近年、携帯電話機、電話機、ＰＤＡ（personal digital assistance）、携帯型オーディオ、ゲーム機、カメラや、情報端末機器等の電子機器においては、さまざまなカードの利用が非常に増大し、サイズの異なる多種類のカードを利用できるカード用コネクタが求められている（例えば、特許文献１参照）。従来のカード用コネクタは、絶縁材料からなり、中間にカードを収容するための収容空間を有するハウジングと、ハウジング内部に配置される複数の導電端子とを含み、前記収容空間は、一端での挿入口に開口して形成され、ハウジングの両側に前記収容空間でカードの挿入をガイドするためのガイド壁が形成される。
【先行技術文献】
【特許文献】
【０００３】
【特許文献１】台湾実用新案公告５５８０９５号公報
【発明の概要】
【発明が解決しようとする課題】
【０００４】
しかしながら、従来のカード用コネクタにおいては、大きなカードを挿入する時に、大きなカードが挿入口を通じて収容空間の内部に挿入でき、挿入の過程において、ハウジングのガイド壁が大きなカードの両側に接触してカードの挿入をガイドできる。小さなカードの幅は挿入口の幅より小さいため、小さなカードが挿入口の幅方向で移動できるので、小さなカードの安定的な挿入が制限される恐れがあり、小さなカードと導電端子との間の接続が不安定になっている。
【０００５】
従って、本発明は、係る点に鑑みてなされたものであり、厚さや幅等の寸法の異なる多種類のカードを同一カード用コネクタに挿入して使用できるように、各種のカードが安定に挿入できるカード用コネクタを提供することにある。
【課題を解決するための手段】
【０００６】
本発明のカード用コネクタは、少なくとも一方が開口されている第１カードを収容する第１挿入口を有する前記コネクタ本体と、前記コネクタ本体に収容された複数の導電端子と、を含み、寸法の異なる少なくとも大小２種類のカードを使用できるカード用コネクタであって、
前記コネクタ本体にカードを収容するための収容空間が形成され、
前記カード用コネクタは、カードの挿入方向に沿って前記収容空間の一側に配置される初期状態と、前記第１挿入口に収容される工作状態との間に切り替えできるアクチュエータ部材を含み、
前記アクチュエータ部材は、第２カードが挿入される第２挿入口を有し、アクチュエータ部材が工作状態において、前記第２挿入口が前記第１挿入口に連通していることを特徴とする。
【発明の効果】
【０００７】
従来技術に比べ、本発明は以下の利点を有する。アクチュエータ部材が初期状態と工作状態との間を切り換えることによって、収容空間の挿入口のサイズを切り替え、小さなカードと大きなカードを挿入することが便利になっている。
【図面の簡単な説明】
【０００８】
【図１】本発明に係るカード用コネクタの組立斜視図であり、アクチュエータ部材を収容部に収容している。
【図２】図１に示すカード用コネクタのカバー部材を外した部分分解図である。
【図３】本発明に係るカード用コネクタの分解図である。
【図４】本発明に係るカード用コネクタのアクチュエータ部材の斜視図である。
【図５】本発明に係るカード用コネクタの組立斜視図であり、アクチュエータ部材を第１挿入口へ回転している。
【図６】本発明に係るカード用コネクタの組立斜視図であり、アクチュエータ部材を第１挿入口に収容している。
【発明を実施するための形態】
【０００９】
以下、本発明のカード用コネクタ１００についての実施形態を詳細に説明する。カード用コネクタ１００は、幅が狭くて長さが短い小さなカード（例えば、ＭＳdouカード）と幅が広く長さが長い大きなカード（例えば、ＸＤカード、ＳＤカード及びMMCカード）とに共通して使用することができるものである。
【００１０】
図１乃至図３を参照すると、本発明に係るカード用コネクタ１００は、絶縁材料からなるコネクタ本体２０と、コネクタ本体２０に装着された複数の導電端子３０と、コネクタ本体２０を覆っているカバー部材４０と、コネクタ本体２０とカバー部材４０に可動的に組付けられたアクチュエータ部材５０とを含む。コネクタ本体２０に組合せられるカバー部材４０によって偏平なハウジング形状の収容空間２４が構成されており、一方の側が開放されていて大きなカードを挿入する第１挿入口２３が形成されている。
【００１１】
コネクタ本体２０の側壁２２の内側にガイド溝２２１が凹んで形成され、コネクタ本体２０は収容空間２４の一側に位置する前記アクチュエータ部材５０を収容する収容部２５を含み、前記収容部２５を離遠する一方側壁２２の先端がポスト２６が突出するように形成され、前記ポスト２６が第１挿入口２３に隣接するように配置される。
【００１２】
前記複数の導電端子３０は、導電性の金属板からなり、収容空間２４に三列で配置され、サイズの相違するカードにそれぞれ接続する。
【００１３】
前記アクチュエータ部材５０は、基部５１と、基部５１の両端に配置される側板５２とを含み、基部５１と側板５２は小さなカードを挿入する第２挿入口５３が構成できる。第２挿入口５３の幅は、第１挿入口２３の幅より小さくなる。一方の側板５２には枢軸５４が設けられ、他の側板５２には第１操作部５５が形成され、該第１操作部５５に前記ポスト２６に貫通される孔部５５１が設けられる。両側板５２の頂部に凹部５２１がそれぞれ凹んで形成され、基部５１の前記第１操作部５５に隣接する箇所に第２操作部５６が突出するように延出され、第１操作部５５と第２操作部５６が互いに直交するように配置される。アクチュエータ部材５０は、収容部２５に収容される初期状態と、小さなカードを第２挿入口５３に挿入された工作状態との間に切換えができる。
【００１４】
前記カバー部材４０が金属板からなり、収容空間２４と収容部２５に覆ってコネクタ本体２０に係合して、前記収容部２５に対応する箇所に、カードの挿入方向に沿って延在する案内溝４１が貫通するように形成される。アクチュエータ部材５０の枢軸５４が案内溝４１に移動でき、且つ、枢軸５４が案内溝４１の第１挿入口２３に隣接する端部で回転できる。カバー部材４０の第１挿入口２３に近寄る一端の両側に凸部４３がそれぞれ形成され、凸部４３はアクチュエータ部材５０の両端での凹部５２１に係合できる。カバー部材４０の第１挿入口２３に遠離する他端が前記アクチュエータ部材５０の第２挿入口５３の後端での側板５２に係合する弾性片４２が延出するように形成され、弾性片４２が第２挿入口５３の内側に係合することによって、アクチュエータ部材５０が安定的に収容部２５に保持される。
【００１５】
組立時に、導電端子３０がコネクタ本体２０にそれぞれ装着され、アクチュエータ部材５０がコネクタ本体２０の収容部２５に取付られ、最後に、カバー部材４０がコネクタ本体２０に係合している。
【００１６】
前記アクチュエータ部材５０は、使用者が前記第１操作部５５を引き動かすことにより、収容部２５から引き抜くことができ、枢軸５４がカバー部材４０の案内溝４１に沿って案内溝４１の第１挿入口に近寄る一端までに移動される時に、アクチュエータ部材５０は枢軸５４と案内溝４１の一端との間で回転可能的に係合することにより初期状態と工作状態との間で回転できる。
【００１７】
大きなカードをカード用コネクタ１００の収容空間２４に挿入でき、この大きなカードは、例えば、マルチメディアカード（MMC）、SDカードまたはＸＤカードと呼ばれるカードで、厚さが厚く、幅が広いカードである。この大きなカードの場合には、幅はカード用コネクタ１００の第１挿入口２４の幅とほぼ等しい。このとき、大きなカードが第１挿入口２４に直ちに挿入できるように、アクチュエータ部材５０が収容部２５に収容されて、第１操作部５５は収容部２５の外部に露出している。
【００１８】
図５と図６を参照すると、小さなカードを収容空間２４に挿入したい時に、このような小さなカードは、例えば、メモリスティックデュオ（ＭＳdouと略称され、登録商標）と呼ばれるカードで、厚さが薄く、幅が狭い等の外形寸法が小さなカードである。この時、使用者は第１操作部５５を引き動かすことを通じて、アクチュエータ部材５０の枢軸５４を案内溝４１の一端にまでに移動し、使用者によりアクチュエータ部材５０を第１挿入口２４に収容された状態までに回転させることができる。この状態において、アクチュエータ部材５０の基部５１と両側板５２は第１挿入口２３に完全に収容され、第２挿入口５３が収容空間２４に露出される。同時に、アクチュエータ部材５０の孔部５５１がコネクタ本体２０のポスト２６に貫通され、カバー部材４０の凸部４３がアクチュエータ部材５０の凹部５２１に係合することにより、アクチュエータ部材５０は第１挿入口２３に収容され保持されている。小さなカードの幅は第２挿入口５３の幅とほぼ等しいために、小さなカードは第２挿入口２３を通じて収容空間２４に挿入できる。
【００１９】
図６を参照すると、アクチュエータ部材５０を第１挿入口２３に収容する時に、前記第２操作部５６が外部に露出されているので、使用者は第２操作部を引き動かすことによりアクチュエータ部材５０を第１挿入口２３から引き抜けくことができる。前記第１操作部５５と第２操作部５６により、使用者がアクチュエータ部材５０を引き抜くことが便利になっている。
【００２０】
本発明に係るカード用コネクタ１００は、アクチュエータ部材５０が初期状態と工作状態との間を切り換えることによって、収容空間２４の挿入口のサイズを切り替え、小さなカードと大きなカードの挿入が便利になっている。
【００２１】
以上本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００２２】
１００  カード用コネクタ
２０  コネクタ本体
２３  第１挿入口
２４  収容空間
３０  導電端子
４０  カバー部材
４１  案内溝
４２  弾性片
４３  凸部
５０  アクチュエータ部材
５１  基部
５２  側板
５３  第２挿入口
５４  枢軸
５５  第１操作部
５６  第２操作部
【図１】
2011222507.tif 000003
【図２】
2011222507.tif 000004
【図３】
2011222507.tif 000005
【図４】
2011222507.tif 000006
【図５】
2011222507.tif 000007
【図６】
2011222507.tif 000008